(57)【要約】【課題】葉書などにおいて離型紙を必要とせずに秘匿性を確保する。【解決手段】正面１Ａに所定事項を記入する秘匿欄印刷部４を形成した紙片本体１と、紙片本体１における秘匿欄印刷部４の周囲外側に被糊付け部６を設けると共に、隠蔽紙片２には秘匿欄印刷部４に対向する部位に糊殺し加工が施された糊殺し層９を形成する。被糊付け部６に対向して糊付け部８を形成する。隠蔽紙片２の糊付け部８を含む全面に糊を塗布して秘匿欄印刷部４や被糊付け部６に貼り付けすることで、隠蔽紙片２を秘匿欄印刷部４に貼り付け覆って秘匿性を保持できる。その後、切断用案内表示部10に沿って切り込みを形成し、そして隠蔽紙片２を剥がすことにより秘匿欄印刷部４及びそこに記載された内容を読み取ることができる。【選択図】図１
0003123887.tif 000002
【実用新案登録請求の範囲】
【請求項１】
紙片本体の表面に形成した秘匿欄印刷部を、隠蔽紙片を接着して覆うことで秘匿性を有し、前記隠蔽紙片を剥がして前記秘匿欄印刷部をあらわす秘匿性を有した情報所持体において、前記紙片本体における前記秘匿欄印刷部の周囲外側に被糊付け部を設け、前記隠蔽紙片の貼り付け面には、前記秘匿欄印刷部に対向する部位に糊殺し加工が施された糊殺し層を形成すると共に、前記被糊付け部に対向する部位に糊付け部を形成したことを特徴とする秘匿性を有した情報所持体。
【請求項２】
紙片本体に形成した秘匿欄印刷部を、隠蔽紙片を接着して覆うことで秘匿性を有し、前記隠蔽紙片を剥がして前記秘匿欄印刷部をあらわす秘匿性を有した情報所持体において、前記紙片本体に前記隠蔽紙片が境界線を介して折り曲げ又は切り離し可能に連接され、前記紙片本体の表面における前記境界線寄りの領域に前記秘匿欄印刷部が形成され、該秘匿欄印刷部の周囲外側に形成した余白部を被糊付け部とし、前記隠蔽紙片の貼り付け面には、前記秘匿欄印刷部に対向する部位に糊殺し加工が施された糊殺し層を形成すると共に、前記被糊付け部に対向する部位に糊付け部を形成したことを特徴とする秘匿性を有した情報所持体。
【請求項３】
前記糊殺し層は、ニスによって形成されたニス層であることを特徴とする請求項１又は２記載の秘匿性を有した情報所持体。
【請求項４】
前記糊殺し層は、印刷インキを印刷して形成した印刷インキ層であることを特徴とする請求項１又は２記載の秘匿性を有した情報所持体。
【請求項５】
前記境界線は折目用線又は切断用線であることを特徴とする請求項２記載の秘匿性を有した情報所持体。
【請求項６】
前記被糊付け部は前記紙片本体の第1の縁に沿って設けられ、前記糊付け部は前記隠蔽紙片の第２の縁に沿って設けられることを特徴とする請求項１〜５のいずれか１項に記載の秘匿性を有した情報所持体。
【請求項７】
前記被糊付け部の前記第１の縁からの第１の横幅は、前記糊付け部の前記第２の縁からの第２の横幅よりも大きく設けられることを特徴とする請求項６記載の秘匿性を有した情報所持体。
【請求項８】
前記紙片本体又は前記隠蔽紙片に、該隠蔽紙片の剥がし用の切断用案内表示部が印刷部又は半切断線によって形成されており、この切断用案内表示部は前記秘匿欄印刷部の非対応箇所に設けられることを特徴とする請求項１〜７のいずれか１項に記載の秘匿性を有した情報所持体。
【請求項９】
前記被糊付け部の裏面又は前記糊付け部の裏面に、該隠蔽紙片の剥がし用の切断用案内表示部が印刷部又は半切断線によって形成され、該切断用案内表示部は前記第１の縁又は前記第２の縁に沿って設けられ、前記第１の縁又は前記第２の縁から前記切断用案内表示部までの第３の横幅は前記第１の横幅より小さく、前記第２の横幅より大きく形成されること特徴とする請求項７記載の秘匿性を有した情報所持体。
【請求項１０】
前記ニス層は有色な透明に設けられていることを特徴とする請求項３記載の秘匿性を有した情報所持体。
【請求項１１】
前記隠蔽紙片の前記表面の少なくとも前記秘匿欄印刷部に対向する箇所に有色なニス下地層が設けられ、該ニス下地層は前記隠蔽紙片と前記ニス層の間に介在していることを特徴とする請求項３又は１０記載の秘匿性を有した情報所持体。
【請求項１２】
前記紙片本体が郵便葉書であって、前記第１の横幅は10ｍｍ以内に形成されると共に、前記第２の横幅Ｙは２ｍｍ以上に形成されることを特徴とする請求項７に記載の秘匿性を有した情報所持体。
【請求項１３】
前記紙片本体及び前記隠蔽紙片をチラシやパンフレット或いは雑誌などの本紙の一部に一体的に設けたことを特徴とする請求項１〜１２のいずれか１項に記載の秘匿性を有した情報所持体。
【考案の詳細な説明】
【技術分野】
【０００１】
本考案は、郵便葉書やチラシなどに利用できる秘匿性を有した情報所持体に関するものである。
【背景技術】
【０００２】
従来、この種のものとして葉書紙片と葉書紙片より小さい隠蔽紙片が折目線を介して折り曲げ可能に連接され、葉書紙片の内面の折目線寄りの領域に所定事項を記入する記入欄が設けられており、隠蔽紙片の内面には、剥離可能に接着される弱粘着剤層が形成され、折目線と対向する端縁に沿って所定巾を有する帯状に剥離不能に接着される接着剤層が形成され、弱粘着剤層と接着剤層を覆って離型紙が貼着され、葉書紙片の内面に設けられている記入欄に所定の個人情報を記入して、接着剤層及び弱粘着剤層を覆っている離型紙を剥がし、折目線にて隠蔽用紙を折り曲げて葉書紙片内面に圧着することにより、隠蔽用紙が葉書紙片と部分的に剥離不能に接着して記入欄に記入された個人情報を隠蔽することができる隠蔽葉書が知られている（例えば、特許文献１）。
【０００３】
また、糊殺し部を設けた隠蔽ラベル付きハガキとして、粘着剤層下面に貼付される剥離紙には、その剥離剤表面の数箇所にニスまたは印刷インキをベタ印刷または網点印刷する糊殺し加工が施された糊殺し部が設けられ、使用時に剥離紙を隠蔽ラベル’から剥がすと、糊殺し部が粘着剤層裏面に接着された状態で、剥離紙が隠蔽ラベルから剥離されるものも知られている（例えば、特許文献２）。
【特許文献１】特開２００５−２９７２５６号公報
【特許文献２】特開２００３−１８２２６７号公報
【考案の開示】
【考案が解決しようとする課題】
【０００４】
ところで、このような隠蔽葉書が、商品の注文書やアンケート或いは会合の出欠の返事等の様な場合では比較的多数のものが印刷されてそれぞれの人に提供される。そして、このような葉書は総てのものが使用されることはなく、その一部は廃棄されてしまうおそれがある。したがって、このような記入欄に記載された記載内容の秘密保持を確実に行うようにした隠蔽葉書は比較的低コストで製造する必要がある。
【０００５】
しかしながら、従来の隠蔽葉書においては葉書紙片と葉書紙片より小さい隠蔽紙片の他に、これらとは別体の離型紙を設けているので、葉書紙片と隠蔽紙片は同時に印刷や接着層などの加工ができるものの、従来技術においては別体の離型紙を必要とし、さらには離型紙の貼り付け加工工程を必要とし、コストを可及的に低減することはできにくかった。
【０００６】
解決しようとする問題点は、表面に所定事項を記入する秘匿欄印刷部を形成した紙片本体と、前記秘匿欄印刷部を覆うことができる隠蔽紙片とを備えた秘匿性を有した情報所持体において、離型紙を必要とせずに秘匿性を確保する点である。
【課題を解決するための手段】
【０００７】
請求項１の考案は、紙片本体の表面に形成した秘匿欄印刷部を、隠蔽紙片を接着して覆うことで秘匿性を有し、前記隠蔽紙片を剥がして前記秘匿欄印刷部をあらわす秘匿性を有した情報所持体において、前記紙片本体における前記秘匿欄印刷部の周囲外側に被糊付け部を設け、前記隠蔽紙片の貼り付け面には、前記秘匿欄印刷部に対向する部位に糊殺し加工が施された糊殺し層を形成すると共に、前記被糊付け部に対向する部位に糊付け部を形成したことを特徴とする秘匿性を有した情報所持体である。
【０００８】
請求項２の考案は、紙片本体に形成した秘匿欄印刷部を、隠蔽紙片を接着して覆うことで秘匿性を有し、前記隠蔽紙片を剥がして前記秘匿欄印刷部をあらわす秘匿性を有した情報所持体において、前記紙片本体に前記隠蔽紙片が境界線を介して折り曲げ又は切り離し可能に連接され、前記紙片本体の表面における前記境界線寄りの領域に前記秘匿欄印刷部が形成され、該秘匿欄印刷部の周囲外側に形成した余白部を被糊付け部とし、前記隠蔽紙片の貼り付け面には、前記秘匿欄印刷部に対向する部位に糊殺し加工が施された糊殺し層を形成すると共に、前記被糊付け部に対向する部位に糊付け部を形成したことを特徴とする秘匿性を有した情報所持体である。
【０００９】
請求項３の考案は、前記糊殺し層は、ニスによって形成されたニス層であることを特徴とする請求項１又は２記載の秘匿性を有した情報所持体である。
【００１０】
請求項４の考案は、前記糊殺し層は、印刷インキを印刷して形成した印刷インキ層であることを特徴とする請求項１又は２記載の秘匿性を有した情報所持体である。
【００１１】
請求項５の考案は、前記境界線は折目用線又は切断用線であることを特徴とする請求項２記載の秘匿性を有した情報所持体である。
【００１２】
請求項６の考案は、前記被糊付け部は前記紙片本体の第1の縁に沿って設けられ、前記糊付け部は前記隠蔽紙片の第２の縁に沿って設けられることを特徴とする請求項１〜５のいずれか１項に記載の秘匿性を有した情報所持体である。
【００１３】
請求項７の考案は、前記被糊付け部の前記第１の縁からの第１の横幅は、前記糊付け部の前記第２の縁からの第２の横幅よりも大きく設けられることを特徴とする請求項６記載の秘匿性を有した情報所持体である。
【００１４】
請求項８の考案は、前記紙片本体又は前記隠蔽紙片に、該隠蔽紙片の剥がし用の切断用案内表示部が印刷部又は半切断線によって形成されており、この切断用案内表示部は前記秘匿欄印刷部の非対応箇所に設けられることを特徴とする請求項１〜７のいずれか１項に記載の秘匿性を有した情報所持体である。
【００１５】
請求項９の考案は、前記被糊付け部の裏面又は前記糊付け部の裏面に、該隠蔽紙片の剥がし用の切断用案内表示部が印刷部又は半切断線によって形成され、該切断用案内表示部は前記第１の縁又は前記第２の縁に沿って設けられ、前記第１の縁又は前記第２の縁から前記切断用案内表示部までの第３の横幅は前記第１の横幅より小さく、前記第２の横幅より大きく形成されること特徴とする請求項７記載の秘匿性を有した情報所持体である。
【００１６】
請求項１０の考案は、前記ニス層は有色な透明に設けられていることを特徴とする請求項３記載の秘匿性を有した情報所持体である。
【００１７】
請求項１１の考案は、前記隠蔽紙片の前記表面の少なくとも前記秘匿欄印刷部に対向する箇所に有色なニス下地層が設けられ、該ニス下地層は前記隠蔽紙片と前記ニス層の間に介在していることを特徴とする請求項３又は１０記載の秘匿性を有した情報所持体である。
【００１８】
請求項１２の考案は、前記紙片本体が郵便葉書であって、前記第１の横幅は10ｍｍ以内に形成されると共に、前記第２の横幅Ｙは２ｍｍ以上に形成されることを特徴とする請求項１〜１１のいずれか１項に記載の秘匿性を有した情報所持体である。
【００１９】
請求項１３の考案は、前記紙片本体及び前記隠蔽紙片をチラシやパンフレット或いは雑誌などの本紙の一部に一体的に設けたことを特徴とする請求項１〜１２のいずれか１項に記載の秘匿性を有した情報所持体である。
【考案の効果】
【００２０】
請求項１の考案によれば、糊を塗布しても糊殺し層の箇所の接着力は弱められて、糊殺し層に塗布した糊層は秘匿欄印刷部側に移ってしまい、この結果隠蔽紙片を開封したときに秘匿欄印刷部が糊の接着力によって剥がれることはなく秘匿欄印刷部及び該箇所に記載された内容を確保することができる。
【００２１】
請求項２の考案によれば、境界線を介して予め一体化されていた隠蔽紙片を折り曲げたり又は切り離して秘匿欄印刷部に糊付けすることができる。
【００２２】
請求項３の考案によれば、ニス層によって確実に糊の接着力を弱めて糊殺し作用を与えることができる。
【００２３】
請求項４の考案によれば、インキ層によって確実に糊の接着力を弱めて糊殺し作用を与えることができると共に、大量生産することができる。
【００２４】
請求項５の考案によれば、隠蔽紙片を紙片本体に確実に一体化しておくことができる。
【００２５】
請求項６の考案によれば、紙片本体の第1の縁側、隠蔽紙片の第２の縁側を有効利用することができる。
【００２６】
請求項７の考案によれば、秘匿欄印刷部には糊殺し層が配置され、秘匿欄印刷部が糊によって剥がれることを防止することができる。
【００２７】
請求項８の考案によれば、隠蔽紙片を剥がすときに切断用案内表示部に沿って切断すれば秘匿欄印刷部を誤って切断せず、安心して切断できる。
【００２８】
請求項９の考案によれば、切断用案内表示部の箇所は、貼り付け力が弱まっているので、秘匿欄印刷部を糊により剥がすことはない。
【００２９】
請求項１０の考案によれば、ニス層の厚みを色の濃淡で把握でき、糊殺し作用の強弱を確実に把握することができる。
【００３０】
請求項１１の考案によれば、糊殺し層の他にニス下地層によっても糊殺し作用を高めることができる。また、ニス下地層は有色であるので、秘匿欄印刷部を有色で覆うので秘匿性をいっそう高めることができる。
【００３１】
請求項１２の考案によれば、郵便葉書において確実に隠蔽紙片が運送途中で容易に剥がれるようなことはない。
【００３２】
請求項１３の考案によれば、チラシなどに広範囲に利用することができる。
【考案を実施するための最良の形態】
【００３３】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００３４】
図１〜図１３は実施例１を示しており、図１〜図４に示すように紙片本体１である所定の縦幅Ｌ１と所定の横幅Ｗ１を有する紙製の郵便葉書に該郵便葉書より小さい紙製の隠蔽紙片２が折目線又は切れ目線からなる境界線３を介して折り曲げ又は切り離し可能に連接されている。この隠蔽紙片２の縦幅Ｌ２は前記縦幅Ｌ１より小さく、横幅Ｗ２は前記横幅Ｗ１と同じに形成される。尚、隠蔽紙片２の縦幅Ｌ２はＬ１の半分又は半分より小さく形成されている（Ｌ２＝１／２×Ｌ１又はＬ２＜１／２×Ｌ１）。そして実施例では境界線３は折目線の場合を示している。前記紙片本体１の表面である正面１Ａにおける前記境界線３寄りの領域に、すなわち下側に秘密に隠しておく所定事項を記入する秘匿欄印刷部４が形成される。この秘匿欄印刷部４には住所欄印刷部４Ａ、氏名欄印刷部４Ｂ、さらに電話番号欄印刷部４Ｃが上下に多段に形成されており、葉書の発送人が住所欄印刷部４Ａ、氏名欄印刷部４Ｂ、さらに電話番号欄印刷部４Ｃに秘匿情報である個人情報を書き込むものである。一方、境界線３寄りと反対側の領域に、すなわち上側に宛名印刷部５が設けられている。この宛名印刷部５は住所印刷部５Ａと名称印刷部５Ｂとが上下に設けられている。尚、この宛名印刷部５は予め市町村名や会社名を印刷している。そして、前記秘匿欄印刷部４の周囲外側である左右両側には、余白部、すなわち基本的には何も書いていない箇所或いは「（被）糊付け部」「貼り付け部」「接着」のような被糊付け表示印刷はあるもののそれ以外の表示がないような箇所が設けられており、この余白部を糊付け可能な被糊付け部６とし、被糊付け部６は例えば白地など紙面の素地のままで残っている
前記隠蔽紙片２は、境界線３を介して折り返して秘匿欄印刷部４を覆うことができる大きさを有しており、その表面である正面２Ａには、秘匿欄印刷部４と対向可能に、隠蔽紙片２に、糊殺し層９であるニス層が隠蔽紙片２に良好に設けられるようにニス下地層７を設ける。そして、このニス下地層７は黒、赤、青など適宜色の有色に設けられている。さらに、隠蔽紙片２の正面１Ａの左右両側の被糊付け部６に対向する部位には糊を塗布するための糊付け部８を形成している。一方、糊付け部８を除く隠蔽紙片２の中央においては秘匿欄印刷部４に対向する部位に糊接着作用を低下させる糊殺し加工が施された糊殺し層９を形成する。前記糊殺し層９は、ニス下地層７上に設けられ、隠蔽紙片２の正面２Ａにニスを塗布やベタ印刷または網点印刷して設けられている。このような糊殺し層９を形成するニス層は例えば黄色や赤などの有色な透明に設けられている。尚、前記糊殺し層は、ニスの代わりに表面潤滑の強い例えばシリコーンを含むようなインキによるインキ層によって形成してもよい。
【００３５】
また、被糊付け部６は隠蔽紙片２の左右両側に配置される第２の縁２Ｅに沿って設けられる。そして、第1の縁１Ｅからの被糊付け部６の第１の横幅Ｘは、第２の縁２Ｅからの糊付け部８の第２の横幅Ｙより大きく形成されている（Ｘ＞Ｙ）。
【００３６】
さらに、正面１Ａ側に折り曲げたときには前向きになる隠蔽紙片２の正面２Ａと反対側の裏面である背面２Ｂに切断用案内表示部10を印刷部又はミシン目のような半切断線によって設ける。この切断用案内表示部10は、背面２Ｂに代えて紙片本体１の背面１Ｂに設けてもよいものであって、切断用案内表示部10は前記秘匿欄印刷部６の非対応箇所、すなわち貼り付けたときに秘匿欄印刷部６を切断しない該秘匿欄印刷部６以外の箇所に設けられる。実施例では切断用案内表示部10を直線状の印刷部によって形成している。この切断用案内表示部10は、後述するように秘匿欄印刷部４に糊付けされた隠蔽紙片２を秘匿欄印刷部４側より剥離するために切り込み箇所を案内表示するためのものであり、その隠蔽紙片２の第２の縁２Ｅからの第３の横幅Ｚは前記第１の横幅Ｘの数値よりも小さく、かつ前記第２の横幅Ｙよりも大きく形成されている（Ｙ＜Ｚ＜Ｘ）。さらには、切断用案内表示部10は、前記第２の横幅Ｙよりはみ出た第１の横幅Ｘにおける中間部（Ｚ＝Ｙ＋（Ｘ−Ｙ）／２）又はこの中間部の近傍に配置されることが望ましい。尚、切断用案内表示部10の縦幅Ｌ３は、ほぼ前記縦幅Ｌ２と同じに形成される。尚、具体的には秘匿欄印刷部４の範囲を確保するために前記第１の横幅Ｘは10ｍｍ以内に形成し、さらには被糊付け部６と糊付け部８間との糊付け面積を確保するため、前記第２の横幅Ｙは２ｍｍ以上、好ましくは３ｍｍに形成する。さらに好ましい数値としては、第１の横幅Ｘを６ｍｍ程度、第２の横幅Ｙを３ｍｍに形成することで、第３の横幅Ｚは４．５ｍｍ（＝３＋（６−３）／２）程度となる。第１の横幅Ｘが10ｍｍより大きいと秘匿欄印刷部４の範囲が狭くなって実用上使用しにくくなり、一方第２の横幅Ｙが２ｍｍより小さいと糊付け幅は小さくなり、糊付け力が実用上使用しにくくなる。
【００３７】
紙片本体１の正面１Ａと反対側となる背面１Ｂには通信欄印刷部11が設けられており、実施例の場合は通信欄印刷部11には注文書印刷部11Ａが設けられている。
【００３８】
次に前記構成についてその作用を説明する。図１〜４に示すように、秘匿欄印刷部４、通信欄印刷部11が白紙の状態で受取った受取人は、図５〜図６に示すように住所欄印刷部４Ａに「××市××町××」というように住所を記入する。また氏名欄印刷部４Ｂに「××  ××」というように氏名を記入する。電話番号欄印刷部４Ｃには「×××―×××―×××」というように電話番号を記入する。一方、背面１Ｂの注文書印刷部11Ａには「Ａ１個、Ｂ２個、Ｃ３個」のように注文を記入する。
【００３９】
次に図７に示すように、隠蔽紙片２の正面２Ａの糊付け部８に透明或いは半透明な糊を塗布する。この糊付けは糊付け部８のみならず糊殺し層９を含めて全面的に行う。そして、図８に示すように糊付け部８を被糊付け部６に貼り付けすると共に、記入済みの秘匿欄印刷部４に隠蔽紙片２を貼り付けする。この際、図９に示すように貼り合わせ箇所の秘匿欄印刷部４においては、紙片本体１に糊層12、糊殺し層９、有色なニス下地層７、隠蔽紙片２の順に重なって貼り付けされている。さらに、切断用案内表示部10の箇所の貼り合わせ箇所においては、紙片本体１に糊層12、糊殺し層９、有色なニス下地層７、隠蔽紙片２の順に重なって貼り付けされている。一方、図１０に示すように貼り合わせ箇所の被糊付け部６においては、紙片本体１に糊層12、隠蔽紙片２の順に重なって貼り付けされている。
【００４０】
このようにして秘匿性を有する秘匿欄印刷部４を隠蔽紙片２によって隠蔽して郵送された葉書を受取った受取人は、秘匿性を解除して秘匿欄印刷部４の記載内容を読む場合、図１１に示すように糊付け部８の内側、すなわち秘匿欄印刷部４に対向して設けられる糊殺し層９の外側となる糊付け部８の内側との境界を下部より切り込むようにして切断する。この際にはハサミやナイフなどの切断具12を利用して、切断用案内表示部10に沿って切り込む。尚、切断用案内表示部がミシン目のような半切断線である場合には、手で直接半切断線に沿って切り込むようにする。そのときの切り込み長さは縦幅Ｌ３であって、隠蔽紙片２の縦幅Ｌ２とほぼ同じに切り込まれる。そして図１２〜１３に示すように両側を切り込まれた隠蔽紙片２の上部を摘んで下方に剥がして秘匿欄印刷部４の記載内容を確認することができる。この際、秘匿欄印刷部４の糊の接着力は糊殺し層９によって弱められるので、糊層12は秘匿欄印刷部４側に移ってしまい、秘匿欄印刷部４及びそこに記載された記載内容が剥がれるようなことはなく、確実に読み取りを行うことができる。さらに隠蔽紙片２の剥がし作業においては、紙片本体１に糊層12、糊殺し層９、ニス下地層７、隠蔽紙片２の順に重なって貼り付けされている箇所に設けられた切断用案内表示部10に沿って剥がしていくことになるので、その剥がされた箇所にある糊層12は被糊付け部６側に移って貼り付け力が弱まり、この結果切断用案内表示部10に沿ってきれいに剥がしていくことができる。
【００４１】
以上のように、前記実施例では請求項１に対応して、紙片本体１の表面たる正面１Ａに形成した秘匿欄印刷部４を、隠蔽紙片２を接着して覆うことで秘匿性を有し、前記隠蔽紙片２を剥がして前記秘匿欄印刷部６をあらわす秘匿性を有した情報所持体において、前記紙片本体１における前記秘匿欄印刷部４の周囲外側に被糊付け部６を設け、前記隠蔽紙片２の貼り付け面たる正面２Ａには、前記秘匿欄印刷部６に対向する部位に糊殺し加工が施された糊殺し層９を形成すると共に、前記被糊付け部６に対向する部位に糊付け部８を形成したことによって、隠蔽紙片２の糊付け部８を含む全面に糊を塗布して隠蔽紙片２を秘匿欄印刷部４、被糊付け部６に全面的に貼り付けすることで、隠蔽紙片２を秘匿欄印刷部４に覆って秘匿性を保持できる。その際、隠蔽紙片２における秘匿欄印刷部４に対向する箇所に糊が塗布されて一体化でき、しかも該箇所には糊殺し層９が形成されているので、その箇所の接着力は弱められることとなるので、剥がすような場合においては糊殺し層９に塗布した糊層12は秘匿欄印刷部４側に移ってしまい、この結果隠蔽紙片２を剥いだときに秘匿欄印刷部４が糊の接着力によって剥がれることはなく秘匿欄印刷部４及び該箇所に記載された内容を確保することができる。
【００４２】
また、請求項２に対応して、紙片本体１に該紙片本体１より小さい隠蔽紙片２が境界線３を介して折り曲げ又は切り離し可能に連接され、前記紙片本体１の正面１Ａにおける前記境界線３寄りの領域に所定事項を記入する秘匿欄印刷部４が形成されているので、境界線３を介して予め一体化されていた隠蔽紙片２を折り曲げたり又は切り離して秘匿欄印刷部４に糊付けすることにより、別体の隠蔽紙片２を設けておく必要はなく、扱いが簡単となる。
【００４３】
さらに、請求項３に対応して前記糊殺し層９は、ニスによって形成されたニス層であるので、確実に糊の接着力を弱めて糊殺し作用を高めることができる。尚、前記糊殺し層９を請求項４に対応して印刷インキ層によって形成しても確実に糊の接着力を弱めて糊殺し作用を高めることができるものであって、インキ層は印刷により形成するので、大量のものを比較的短時間で生産することができる。
【００４４】
また、請求項５に対応して前記境界線３は折目用線又は切断用線であるので、隠蔽紙片２を紙片本体１に確実に連設しておくことができる。
【００４５】
さらに、請求項６に対応して前記被糊付け部６は前記紙片本体１の第1の縁１Ｅに沿って設けられ、前記糊付け部８は前記隠蔽紙片２の第２の縁２Ｅに沿って設けられることにより、もともと利用しない紙片本体１の第1の縁１Ｅ側、隠蔽紙片２の第２の縁２Ｅ側を貼り付けのために有効利用することができる。
【００４６】
また、請求項７に対応して前記被糊付け部６の前記第１の縁１Ｅからの第１の横幅Ｘは、前記糊付け部８の前記第２の縁２Ｅからの第２の横幅Ｙよりも大きく設けられる（Ｘ＞Ｙ）ことにより、秘匿欄印刷部６には糊殺し層９が配置されるようになるので、秘匿欄印刷部６が糊によって剥がれることを防止することができる。
【００４７】
さらに、請求項８に対応して、前記紙片本体１に、該隠蔽紙片２の剥がし用の切断用案内表示部10が印刷部又は半切断線によって形成されており、この切断用案内表示部10は前記秘匿欄印刷部６の非対応箇所に設けられることにより、隠蔽紙片２を剥がすときに切断用案内表示部10に沿って切断すれば決して秘匿欄印刷部６を誤って切断することはない。
【００４８】
さらに、請求項９に対応して前記被糊付け部６の裏面１Ｂ又は前記糊付け部８の裏面２Ｂに、該隠蔽紙片２の剥がし用の切断用案内表示部10が印刷部によって形成され、該切断用案内表示部10は前記第１の縁１Ｅ又は前記第２の縁２Ｅに沿って設けられ、前記第１の縁１Ｅ又は前記第２の縁２Ｅから前記切断用案内表示部10までの第３の横幅Ｚは前記第１の横幅Ｘより小さく、前記第２の横幅Ｙより大きく形成される（Ｘ＞Ｚ＞Ｙ）ことによって、切断用案内表示部10の箇所は、紙片本体１に糊層12、糊殺し層９、ニス下地層７、隠蔽紙片２の順に重なって貼り付けされている箇所となるので、隠蔽紙片２の剥がされた箇所にある糊層12は被糊付け部６側に移って貼り付け力が弱まり、秘匿欄印刷部を糊により剥がすことはない。
【００４９】
また、請求項１０に対応して前記ニス層は有色な透明に設けられていることにより、製造時においてニス層の厚みを色の濃淡で把握することができるので、前記厚み、ひいては糊殺し作用の強弱を確実に把握することができる。
【００５０】
さらに、請求項１１に対応して前記隠蔽紙片２の前記表面の少なくとも前記秘匿欄印刷部４に対向する箇所にニス下地層７が設けられ、該ニス下地層７は前記隠蔽紙片２と前記ニス層による糊殺し層９の間に介在していることにより、糊殺し作用を糊層12と隠蔽紙片2との間に配置される糊殺し層９の他にニス下地層７によっても高めることができる。また、ニス下地層７は有色であるので、秘匿欄印刷部４を有色で覆うので秘匿性をいっそう高めることができる。
【００５１】
また、請求項１２に対応して前記紙片本体１が縦幅Ｌ１が１４８ｍｍ程度、横幅Ｗ１が１００ｍｍ程度の郵便葉書であって、前記第１の横幅は10ｍｍ以内に形成されると共に、前記第２の横幅Ｙは２ｍｍ以上に形成されることによって、隠蔽紙片２を秘匿欄印刷部４に糊で貼り付け、同時に被糊付け部６に糊付け部８を糊で貼り付けることで、確実に隠蔽紙片２が運送途中で容易に剥がれるようなことはない。
【実施例２】
【００５２】
以下に他の実施例について説明する。尚、前記実施例１と同一部分には同一符号を付し、その詳細な説明を省略する。
【００５３】
図１４〜１８に示す実施例３は、図１４〜図１５に示すように紙片本体１である紙製の郵便葉書に該郵便葉書より小さい紙製の隠蔽紙片２が折目線又は切れ目線からなる境界線３を介して折り曲げ又は切り離し可能に連接されている。この隠蔽紙片２の縦幅Ｌ２´は縦幅Ｌ１と同じに形成され、横幅Ｗ２は横幅Ｗ１と同じに形成される。前記紙片本体１のこの実施例では表面である背面１Ｂに秘密に隠しておく所定事項を記入する秘匿欄印刷部４や通信欄印刷部11が形成される。一方、この実施例では裏面である正面１Ａに宛名印刷部５が設けられている。
【００５４】
前記隠蔽紙片２は、境界線３を介して折り返して秘匿欄印刷部４などの背面１Ｂの全面を覆うことができる大きさを有しており、その表面である背面２Ａには、秘匿欄印刷部４と対向可能にニス下地層７を設ける。さらに、隠蔽紙片２の正面１Ａの左右両側の被糊付け部６に対向する部位には糊を塗布するための糊付け部８を形成している。一方、糊付け部８を除く隠蔽紙片２の中央においては秘匿欄印刷部４に対向する部位に糊接着作用を低下させる糊殺し加工が施された糊殺し層９を形成する。前記糊殺し層９は、ニス下地層７上に設けられ、隠蔽紙片２の正面２Ａにニスを塗布、ベタ印刷または網点印刷して設けられている。このような糊殺し層９を形成するニス層は例えば黄色や赤などの有色な透明に設けられている。尚、前記糊殺し層は、ニスの代わりに表面潤滑の強い例えばシリコーンを含むようなインキによるインキ層によって形成してもよい。
【００５５】
また、被糊付け部６は隠蔽紙片２の左右両側に配置される第２の縁２Ｅに沿って設けられる。そして、第1の縁１Ｅからの被糊付け部６の第１の横幅Ｘは、第２の縁２Ｅからの糊付け部８の第２の横幅Ｙより大きく形成されている（Ｘ＞Ｙ）。
【００５６】
さらに、背面１Ｂ側に折り曲げたときには後向きになる隠蔽紙片２の背面２Ｂと反対側の裏面である正面２Ａに切断用案内表示部10´を印刷部又はミシン目のような半切断線によって設ける。この切断用案内表示部10´は、正面２Ａに代えて紙片本体１の正面１Ａに設けてもよいものであって、切断用案内表示部10´は前記秘匿欄印刷部６の非対応箇所、すなわち貼り付けたときに秘匿欄印刷部６を切断しない該秘匿欄印刷部６以外の箇所に設けられる。
【００５７】
次に前記構成についてその作用を説明する。図１６に示すように、秘匿欄印刷部４、通信欄印刷部11が白紙の状態で受取った受取人は、住所、氏名、電話番号を記入する。さらに注文書印刷部11Ａには「Ａ１個、Ｂ２個、Ｃ３個」のように注文を記入する。
【００５８】
次に図１６に示すように、隠蔽紙片２の背面２Ｂの糊付け部８に透明或いは半透明な糊を塗布する。この糊付けは糊付け部８のみならず糊殺し層９を含めて全面的に行う。そして、糊付け部８を被糊付け部６に貼り付けすると共に、記入済みの秘匿欄印刷部４などに隠蔽紙片２を貼り付けする。
【００５９】
この後、図１７に示すように糊付け部８の内側、すなわち秘匿欄印刷部４に対向して設けられる糊殺し層９の外側となる糊付け部８の内側との境界を下部より切り込むようにして切断する。この際にはハサミやナイフなどの切断具12を利用して、切断用案内表示部10´に沿って切り込む。尚、切断用案内表示部がミシン目のような半切断線である場合には、手で直接半切断線に沿って切り込むようにする。そのときの切り込み長さは縦幅Ｌ１全長であって、隠蔽紙片２の縦幅Ｌ２´に切り込まれる。そして図１８に示すように両側を切り込まれた隠蔽紙片２の上部を摘んで下方に剥がして秘匿欄印刷部４などの記載内容を確認することができる。この際、秘匿欄印刷部４の糊の接着力は糊殺し層９によって弱められるので、糊層12は秘匿欄印刷部４側に移ってしまい、秘匿欄印刷部４及びそこに記載された記載内容が剥がれるようなことはなく、確実に読み取りを行うことができる。さらに隠蔽紙片２の剥がし作業においては、紙片本体１に糊層12、糊殺し層９、ニス下地層７、隠蔽紙片２の順に重なって貼り付けされている箇所に設けられた切断用案内表示部10´に沿って剥がしていくことになるので、その剥がされた箇所にある糊層12は被糊付け部６側に移って貼り付け力が弱まり、この結果切断用案内表示部10に沿ってきれいに剥がしていくことができる。
【００６０】
このような実施例２においても、隠蔽紙片２を剥いだときに秘匿欄印刷部４が糊の接着力によって剥がれることはなく秘匿欄印刷部４及び該箇所に記載された内容を確保することができる等の前記実施例１と同様な効果を奏することができる。
【実施例３】
【００６１】
図１９〜２０に示す実施例３は、秘匿欄印刷部４の周囲外側である上側には、例えば白地など紙面の素地のままで残っている余白部が設けられており、この余白部を糊付け可能な被糊付け部６とする。一方、隠蔽紙片２の正面１Ａの下側の被糊付け部６に対向する部位には糊を塗布するための糊付け部８を形成している。
【００６２】
したがって、糊付け部８に糊付けした後、該糊付け部８を被糊付け部６に貼り付けすることにより、隠蔽紙片２により秘匿欄印刷部４を覆うことができる。そして、貼り付けられた被糊付け部６と糊付け部８に沿って切断して隠蔽紙片２を剥がして、糊層12が乗り移った秘匿欄印刷部４の記載内容を確認することができる。
【００６３】
このような実施例３においても、実施例１と同様な効果を発揮することができる。
【実施例４】
【００６４】
図２１に示す実施例４は、往復葉書に利用した場合であり、返信側葉書により紙片本体１を形成し、該紙片本体１に境界線３を介して接続される往信側の葉書13の下部によって隠蔽紙片２を形成したものであり、秘匿欄印刷部４とこれを覆う隠蔽紙片２は境界線３を介して左右に配置されている。そして紙片本体１における秘匿欄印刷部４の周囲外側である左右両側には、例えば白地など紙面の素地のままで残っている余白部が設けられており、この余白部を糊付け可能な被糊付け部６とする。一方、隠蔽紙片２の正面１Ａの左右両側の被糊付け部６に対向する部位には糊を塗布するための糊付け部８を形成している。
【００６５】
したがって、往復葉書を受取った場合、一点鎖線に示すように隠蔽紙片２を残すようにして往信側の葉書13の上部を図示しないミシン目のような半切断線に沿って切り取る。そして糊付け部８に糊付けした後、該糊付け部８を被糊付け部６に貼り付けすることにより、隠蔽紙片２により秘匿欄印刷部４を覆うことができる。そして、図１１と同様に貼り付けられた被糊付け部６と糊付け部８に沿って切断して隠蔽紙片２を剥がして、糊層が乗り移った秘匿欄印刷部４の記載内容を確認することができる。
【００６６】
このような実施例３においても、実施例１と同様な効果を発揮することができる。
【実施例５】
【００６７】
図２２に示す実施例５は、チラシやパンフレット或いは雑誌などの本紙14の一部に前記紙片本体１及び隠蔽紙片２を一体に設けたものであり、実施例では本紙14の角部14Ａに隠蔽紙片２の角部を配置している。
【００６８】
本紙14の読者は切断具12又はミシン目によって、紙片本体１及び隠蔽紙片２を切り取り、そして実施例１と同様に使用するものである。
【００６９】
このように実施例５においては、実施例１と同様な効果の他に、請求項６に対応してチラシやパンフレット或いは新聞紙、雑誌などの本紙14の一部に前記紙片本体１及び隠蔽紙片２を一体に設けたことにより、チラシなどに広範囲に利用することができる。
【産業上の利用可能性】
【００７０】
以上のように本考案にかかる秘匿性を有した情報所持体は、各種の用途に適用できる。
【図面の簡単な説明】
【００７１】
【図１】実施例１を示す正面図である。
【図２】実施例１を示す背面図である。
【図３】実施例１を示す図１の一部を拡大したＡ−Ａ線断面図である。
【図４】実施例１を示す図１の一部を拡大したＢ−Ｂ線断面図である。
【図５】実施例１を示す第１行程の正面図である。
【図６】実施例１を示す第１行程の背面図である。
【図７】実施例１を示す第２行程の斜視図である。
【図８】実施例１を示す第３行程の正面図である。
【図９】実施例１を示す図８の一部を拡大したＡ´−Ａ´線断面図である。
【図１０】実施例１を示す図８の一部を拡大したＢ´−Ｂ´線断面図である。
【図１１】実施例１を示す第４行程の正面図である。
【図１２】実施例１を示す第５行程の正面図である。
【図１３】実施例１を示す図１２の断面図である。
【図１４】実施例２を示す正面図である。
【図１５】実施例２を示す背面図である。
【図１６】実施例２を示す貼り付け行程の正面図である。
【図１７】実施例２を示す切り込み行程の背面図である。
【図１８】実施例２を示す剥がし行程の正面図である。
【図１９】実施例３を示す正面図である。
【図２０】実施例３を示す切断した状態の正面図である。
【図２１】実施例４を示す正面図である。
【図２２】実施例５を示す正面図である。
【符号の説明】
【００７２】
１  紙片本体
１Ａ  正面（表面）
１Ｅ  第１の縁
２  隠蔽紙片
２Ａ  正面（貼り付け面）
２Ｂ  背面（裏面）
２Ｅ  第２の縁
３  境界線
４  秘匿欄印刷部
６  被糊付け部
７  ニス下地層
８  糊付け部
９  糊殺し層
10  切断用案内表示部
12  糊層
14  本紙
Ｘ  第１の横幅
Ｙ  第２の横幅
Ｚ  第３の横幅
【図１】
0003123887.tif 000003
【図２】
0003123887.tif 000004
【図３】
0003123887.tif 000005
【図４】
0003123887.tif 000006
【図５】
0003123887.tif 000007
【図６】
0003123887.tif 000008
【図７】
0003123887.tif 000009
【図８】
0003123887.tif 000010
【図９】
0003123887.tif 000011
【図１０】
0003123887.tif 000012
【図１１】
0003123887.tif 000013
【図１２】
0003123887.tif 000014
【図１３】
0003123887.tif 000015
【図１４】
0003123887.tif 000016
【図１５】
0003123887.tif 000017
【図１６】
0003123887.tif 000018
【図１７】
0003123887.tif 000019
【図１８】
0003123887.tif 000020
【図１９】
0003123887.tif 000021
【図２０】
0003123887.tif 000022
【図２１】
0003123887.tif 000023
【図２２】
0003123887.tif 000024